(57)【要約】【課題】膜質の良好な塗布膜を形成することができる。【解決手段】金属及び溶媒を含む液状体の塗布膜を第一基板及び第二基板に形成する塗布ステップと、前記第一基板に形成された前記塗布膜と前記第二基板に形成された前記塗布膜とが対向するように前記第一基板及び前記第二基板を保持した状態で前記塗布膜を加熱する加熱ステップとを含む。【選択図】図７
2014014816.tif 000002
【特許請求の範囲】
【請求項１】
金属及び溶媒を含む液状体の塗布膜を第一基板および第二基板に形成する塗布ステップと、
前記第一基板に形成された前記塗布膜と前記第二基板に形成された前記塗布膜とが対向するように前記第一基板及び前記第二基板を保持した状態で前記塗布膜を加熱する加熱ステップと
を含む基板処理方法。
【請求項２】
前記加熱ステップは、前記塗布膜に含まれる前記金属を結晶化させることを含む
請求項１に記載の基板処理方法。
【請求項３】
前記塗布ステップの後、前記加熱ステップに先立ち、前記塗布膜に含まれる前記溶媒の少なくとも一部を気化させる乾燥ステップ
請求項１又は請求項２のうちいずれか一項に記載の基板処理方法。
【請求項４】
前記加熱ステップは、前記第一基板に形成された前記塗布膜と前記第二基板に形成された前記塗布膜とを接触させることを含む
請求項１に記載の基板処理方法。
【請求項５】
前記加熱ステップは、前記第一基板及び前記第二基板を鉛直方向に平行に配置させることを含む
を更に含む請求項１から請求項４のうちいずれか一項に記載の基板処理方法。
【請求項６】
前記加熱ステップは、密閉空間で行う
請求項１から請求項５のうちいずれか一項に記載の基板処理方法。
【請求項７】
金属及び溶媒を含む液状体の塗布膜を第一基板および第二基板に形成する塗布部と、
前記第一基板に形成された前記塗布膜と前記第二基板に形成された前記塗布膜とが対向するように前記第一基板及び前記第二基板を保持する保持部と、
前記第一基板及び前記第二基板を保持した状態で前記塗布膜を加熱する加熱部と
を備える基板処理装置。
【請求項８】
加熱動作において前記塗布膜に含まれる前記金属が結晶化するように前記加熱部を制御する制御部を更に備える
請求項７に記載の基板処理装置。
【請求項９】
前記塗布膜に含まれる前記溶媒の少なくとも一部を気化させる乾燥部を更に備える
請求項７又は請求項８に記載の基板処理装置。
【請求項１０】
前記保持部は、前記第一基板に形成された前記塗布膜と前記第二基板に形成された前記塗布膜とが接触するように前記第一基板及び前記第二基板を保持する
請求項７に記載の基板処理装置。
【請求項１１】
前記保持部は、前記第一基板及び前記第二基板を鉛直方向に平行に保持する
請求項７から請求項１０のうちいずれか一項に記載の基板処理装置。
【請求項１２】
前記加熱部は、前記第一基板及び前記第二基板を密閉する密閉部を有する
請求項７から請求項１１のうちいずれか一項に記載の基板処理装置。
【発明の詳細な説明】
【技術分野】
【０００１】
本発明は、基板処理方法及び基板処理装置に関する。
【背景技術】
【０００２】
Ｃｕ、Ｇｅ、Ｓｎ、Ｐｂ、Ｓｂ、Ｂｉ、Ｇａ、Ｉｎ、Ｔｉ、Ｚｎおよびこれらの組合せなどの金属と、Ｓ、Ｓｅ、Ｔｅ、およびこれらの組合せなどの元素カルコゲンとを含む半導体材料を用いたＣＩＧＳ型太陽電池やＣＺＴＳ型太陽電池は、高い変換効率を有する太陽電池として注目されている（例えば特許文献１〜特許文献３参照）。
【０００３】
ＣＩＧＳ型太陽電池は、光吸収層（光電変換層）として例えば上記、Ｃｕ、Ｉｎ、Ｇａ、Ｓｅの４種類の半導体材料からなる膜を用いる構成になっている。また、ＣＺＴＳ型太陽電池は、光吸収層（光電変換層）として、例えばＣｕ、Ｚｎ、Ｓｎ、Ｓｅの４種類の半導体材料からなる膜を用いる構成になっている。このような太陽電池の構成として、例えばガラスなどからなる基板上にモリブデンなどからなる裏面電極が設けられ、当該裏面電極の上に上記光吸収層が配置される構成が知られている。
【０００４】
ＣＩＧＳ型太陽電池やＣＺＴＳ型太陽電池は、従来型の太陽電池に比べて光吸収層の厚さを薄くすることができるため、曲面への設置や運搬が容易となる。このため、高性能でフレキシブルな太陽電池として、広い分野への応用が期待されている。光吸収層を形成する手法として、従来、例えば蒸着法やスパッタリング法などを用いて形成する手法が知られていた（例えば、特許文献２〜特許文献５参照）。
【先行技術文献】
【特許文献】
【０００５】
【特許文献１】特開平１１−３４０４８２号公報
【特許文献２】特開２００５−５１２２４号公報
【特許文献３】特表２００９−５３７９９７号公報
【特許文献４】特開平１−２３１３１３号公報
【特許文献５】特開平１１−２７３７８３号公報
【発明の概要】
【発明が解決しようとする課題】
【０００６】
これに対して、本発明者は、光吸収層を形成する手法として、上記半導体材料を液状体で基板上に塗布する手法を提案する。光吸収層を液状体の塗布によって形成する場合、以下の課題が挙げられる。
【０００７】
液状体を塗布した後、塗布膜に含まれる溶媒を気化させるため、塗布膜を加熱する加熱工程が行われる。この加熱工程において、溶媒の気化が急激に行われると、塗布膜の膜質に影響を及ぼす場合がある。
【０００８】
以上のような事情に鑑み、本発明は、膜質の良好な塗布膜を形成することができる基板処理方法及び基板処理装置を提供することを目的とする。
【課題を解決するための手段】
【０００９】
本発明の第一の態様に係る基板処理方法は、金属及び溶媒を含む液状体の塗布膜を第一基板および第二基板に形成する塗布ステップと、前記第一基板に形成された前記塗布膜と前記第二基板に形成された前記塗布膜とが対向するように前記第一基板及び前記第二基板を保持し、前記第一基板及び前記第二基板を保持した状態で前記塗布膜を加熱する加熱ステップとを含む。
【００１０】
本発明によれば、金属及び溶媒を含む液状体の塗布膜を第一基板および第二基板に形成し、当該第一基板に形成された塗布膜と当該第二基板に形成された塗布膜とが対向するように第一基板及び第二基板を保持した状態で塗布膜を加熱することとしたので、加熱によって気化した溶媒は第一基板と第二基板との間に滞留しやすくなる。このため、塗布膜に含まれる溶媒が急激に気化するのを確実に防ぐことができる。これにより、膜質の良好な塗布膜を形成することができる。
【００１１】
上記の基板処理方法は、前記加熱ステップは、前記塗布膜に含まれる前記金属を結晶化させることを含む。  
本発明によれば、加熱ステップにおいて、塗布膜に含まれる金属を結晶化させることとしたので、塗布膜の膜質を更に高めることができる。
【００１２】
上記の基板処理方法は、前記塗布ステップの後、前記加熱ステップに先立ち、前記塗布膜に含まれる前記溶媒の少なくとも一部を気化させる乾燥ステップを更に含む。  
本発明によれば、塗布ステップの後、加熱ステップに先立ち、塗布膜に含まれる溶媒の少なくとも一部を気化させることとしたので、加熱ステップにおいて塗布膜が垂れたり広がったりなど変形するのを防ぐことができる。これにより、塗布膜の膜質を更に向上させることができる。
【００１３】
上記の基板処理方法は、前記加熱ステップは、前記第一基板に形成された前記塗布膜と前記第二基板に形成された前記塗布膜とを接触させることを含む。  
本発明によれば、加熱ステップにおいて、第一基板に形成された塗布膜と第二基板に形成された塗布膜とを接触させることとしたので、溶媒が急激に気化するのを抑制することができる。
【００１４】
上記の基板処理方法は、前記加熱ステップは、前記第一基板及び前記第二基板を鉛直方向に平行に配置させることを含む。  
本発明によれば、加熱ステップにおいて、第一基板及び第二基板を鉛直方向に平行に配置させることにより、気化した溶媒が第一基板側若しくは第二基板側に偏って滞留するのを防ぐことができる。
【００１５】
本発明の第二の態様に係る基板処理装置は、金属及び溶媒を含む液状体の塗布膜を第一基板および第二基板に形成する塗布部と、前記第一基板に形成された前記塗布膜と前記第二基板に形成された前記塗布膜とが対向するように前記第一基板及び前記第二基板を保持する保持部と、前記第一基板及び前記第二基板を保持した状態で前記塗布膜を加熱する加熱部とを備える。
【００１６】
本発明によれば、第一基板に形成された塗布膜と第二基板に形成された塗布膜とが対向するように第一基板及び第二基板を保持した状態で塗布膜を加熱する加熱部を備えることとしたので、第一基板及び第二基板の両方の基板から溶媒を気化させ、第一基板と第二基板との間に滞留しやすくなる。このため、塗布膜に含まれる溶媒が急激に気化するのを確実に防ぐことができる。これにより、膜質の良好な塗布膜を形成することができる。
【００１７】
上記の基板処理装置は、加熱動作において前記塗布膜に含まれる前記金属が結晶化するように前記加熱部を制御する制御部を更に備える。  
本発明によれば、加熱動作において、塗布膜に含まれる金属を結晶化させることとしたので、塗布膜の膜質を更に高めることができる。
【００１８】
上記の基板処理装置は、前記塗布膜に含まれる前記溶媒の少なくとも一部を気化させる乾燥部を更に備える。  
本発明によれば、乾燥部により、塗布膜に含まれる溶媒の少なくとも一部を気化させることができるので、塗布膜が垂れたり広がったりなど変形するのを防ぐことができる。これにより、塗布膜の膜質を更に向上させることができる。
【００１９】
上記の基板処理装置は、前記保持部は、前記第一基板に形成された前記塗布膜と前記第二基板に形成された前記塗布膜とが接触するように前記第一基板及び前記第二基板を保持する。  
本発明によれば、第一基板に形成された塗布膜と第二基板に形成された塗布膜とを接触させることとしたので、溶媒が急激に気化するのを抑制することができる。
【００２０】
上記の基板処理装置は、前記保持部は、前記第一基板及び前記第二基板を鉛直方向に平行に保持する。  
本発明によれば、第一基板及び第二基板を鉛直方向に平行に配置させることができる。これにより、気化した溶媒が第一基板側若しくは第二基板側に偏って滞留するのを防ぐことができる。
【発明の効果】
【００２１】
本発明によれば、膜質の良好な塗布膜を形成することができる。
【図面の簡単な説明】
【００２２】
【図１】本発明の実施の形態に係る塗布装置の全体構成を示す図。
【図２】本実施形態に係る塗布装置の全体構成を示す図。
【図３】本実施形態に係るノズルの構成を示す図。
【図４】本実施形態に係る減圧乾燥部の構成を示す図。
【図５】本実施形態に係る焼成部の構成を示す図。
【図６】本実施形態に係る焼成部の構成を示す図。
【図７】本実施形態に係る焼成部の構成を示す図。
【図８】本実施形態に係る塗布装置の塗布処理の過程を示す図。
【図９】本実施形態に係る塗布装置の塗布処理の過程を示す図。
【図１０】本実施形態に係る塗布装置の塗布処理の過程を示す図。
【図１１】本実施形態に係る塗布装置の塗布処理の過程を示す図。
【図１２】本実施形態に係る塗布装置の塗布処理の過程を示す図。
【図１３】本実施形態に係る塗布装置の減圧乾燥処理の過程を示す図。
【図１４】本実施形態に係る塗布装置の減圧乾燥処理の過程を示す図。
【図１５】本実施形態に係る塗布装置の減圧乾燥処理の過程を示す図。
【図１６】本実施形態に係る塗布装置の減圧乾燥処理の過程を示す図。
【図１７】本実施形態に係る塗布装置の焼成処理の過程を示す図。
【図１８】本実施形態に係る塗布装置の焼成処理の過程を示す図。
【図１９】本実施形態に係る塗布装置の焼成処理の過程を示す図。
【図２０】本実施形態に係る塗布装置の焼成処理の過程を示す図。
【図２１】本実施形態に係る塗布装置の焼成処理の過程を示す図。
【図２２】本発明の変形例に係る塗布装置の構成を示す図。
【図２３】本発明の変形例に係る塗布装置の構成を示す図。
【発明を実施するための形態】
【００２３】
以下、図面を参照して、本発明の実施の形態を説明する。  
図１は、本実施形態に係る塗布装置ＣＴＲの構成を示す概略図である。  
図１に示すように、塗布装置ＣＴＲは、基板Ｓに液状体を塗布する装置である。塗布装置ＣＴＲは、基板供給回収部ＬＵ、第一チャンバーＣＢ１、第二チャンバーＣＢ２、接続部ＣＮ及び制御部ＣＯＮＴを有している。第一チャンバーＣＢ１は、塗布部ＣＴを有している。第二チャンバーＣＢ２は、焼成部ＢＫを有している。接続部ＣＮは、減圧乾燥部ＶＤを有している。
【００２４】
塗布装置ＣＴＲは、例えば工場などの床面ＦＬに載置されて用いられる。塗布装置ＣＴＲは、一つの部屋に収容される構成であっても構わないし、複数の部屋に分割して収容される構成であっても構わない。塗布装置ＣＴＲは、基板供給回収部ＬＵ、塗布部ＣＴ、減圧乾燥部ＶＤ及び焼成部ＢＫがこの順で一方向に並んで配置されている。
【００２５】
なお、装置構成については塗布装置ＣＴＲは、基板供給回収部ＬＵ、塗布部ＣＴ、減圧乾燥部ＶＤ及び焼成部ＢＫがこの順で一方向に並んで配置されることに限られることは無い。例えば、基板供給回収部ＬＵが不図示の基板供給部と不図示の基板回収部に分割されても構わないし、減圧乾燥部ＶＤが省略されても構わない。勿論、一方向に並んで配置されていなくてもよく、不図示のロボットを中心とした上下に積層する配置や、左右に配置する構成でもよい。
【００２６】
以下の各図において、本実施形態に係る基板処理装置の構成を説明するにあたり、表記の簡単のため、ＸＹＺ座標系を用いて図中の方向を説明する。当該ＸＹＺ座標系においては、床面に平行な平面をＸＹ平面とする。このＸＹ平面において塗布装置ＣＴＲの各構成要素（基板供給回収部ＬＵ、塗布部ＣＴ、減圧乾燥部ＶＤ及び焼成部ＢＫ）が並べられた方向をＸ方向と表記し、ＸＹ平面上でＸ方向に直交する方向をＹ方向と表記する。ＸＹ平面に垂直な方向はＺ方向と表記する。Ｘ方向、Ｙ方向及びＺ方向のそれぞれは、図中の矢印の方向が＋方向であり、矢印の方向とは反対の方向が−方向であるものとして説明する。
【００２７】
本実施形態では、基板Ｓとして、例えばガラスや樹脂などからなる板状部材を用いている。本実施形態では更に、基板Ｓ上に裏面電極としてスパッタにてモリブデンを形成している。勿論、裏面電極として、他の導電性物質を用いる構成としても構わない。基板Ｓとして、Ｚ方向視における寸法が３３０ｍｍ×３３０ｍｍの基板を例に挙げて説明する。なお、基板Ｓの寸法については、上記のような３３０ｍｍ×３３０ｍｍの基板に限られることは無い。例えば、基板Ｓとして、寸法が１２５ｍｍ×１２５ｍｍの基板を用いても構わないし、寸法が１ｍ×１ｍの基板を用いても構わない。勿論、上記寸法よりも大きい寸法の基板や小さい寸法の基板を適宜用いることができる。
【００２８】
本実施形態では、基板Ｓに塗布する液状体として、例えばヒドラジンなどの溶媒に、銅（Ｃｕ）、インジウム（Ｉｎ）、ガリウム（Ｇａ）、セレン（Ｓｅ）または銅（Ｃｕ）、亜鉛（Ｚｎ）、スズ（Ｓｎ）、セレン（Ｓｅ）といった易酸化性の金属材料を含有する液状組成物を用いている。この液状組成物は、ＣＩＧＳまたはＣＺＴＳ型太陽電池の光吸収層（光電変換層）を構成する金属材料を含んでいる。
【００２９】
本実施形態では、この液状組成物は、ＣＩＧＳまたはＣＺＴＳ太陽電池の光吸収層のグレインサイズを確保するための物質を含んでいる。勿論、液状体として、他の金属、たとえば金属ナノ粒子を分散させた液状体を用いる構成としても構わない。
【００３０】
（基板供給回収部）  
基板供給回収部ＬＵは、塗布部ＣＴに対して未処理の基板Ｓを供給すると共に、塗布部ＣＴからの処理済の基板Ｓを回収する。基板供給回収部ＬＵは、チャンバー１０を有している。チャンバー１０は、直方体の箱状に形成されている。チャンバー１０の内部には、基板Ｓを収容可能な収容室１０ａが形成されている。チャンバー１０は、第一開口部１１、第二開口部１２及び蓋部１４を有している。第一開口部１１及び第二開口部１２は、収容室１０ａとチャンバー１０の外部とを連通する。
【００３１】
第一開口部１１は、チャンバー１０の＋Ｚ側の面に形成されている。第一開口部１１は、Ｚ方向視で基板Ｓの寸法よりも大きく形成されている。チャンバー１０の外部に取り出される基板Ｓや、収容室１０ａへ収容される基板Ｓは、第一開口部１１を介して基板供給回収部ＬＵに出し入れされる。
【００３２】
第二開口部１２は、チャンバー１０の＋Ｘ側の面に形成されている。第二開口部１２は、Ｘ方向視で基板Ｓの寸法よりも大きく形成されている。塗布部ＣＴへ供給される基板Ｓや塗布部ＣＴから戻される基板Ｓは、第二開口部１２を介して基板供給回収部ＬＵに出し入れされる。
【００３３】
蓋部１４は、第一開口部１１を開放又は閉塞させる。蓋部１４は、矩形の板状に形成されている。蓋部１４は、不図示のヒンジ部を介して第一開口部１１の＋Ｘ側の辺に取り付けられている。このため、蓋部１４は、第一開口部１１の＋Ｘ側の辺を中心としてＹ軸周りに回動する。第一開口部１１は、蓋部１４をＹ軸周りに回動させることで開閉可能となっている。
【００３４】
収容室１０ａには、基板搬送部１５が設けられている。基板搬送部１５は、複数のローラー１７を有している。ローラー１７は、Ｙ方向に一対配置されており、当該一対のローラー１７がＸ方向に複数並んでいる。
【００３５】
各ローラー１７は、Ｙ軸方向を中心軸方向としてＹ軸周りに回転可能に設けられている。複数のローラー１７は、それぞれ等しい径となるように形成されており、複数のローラー１７の＋Ｚ側の端部はＸＹ平面に平行な同一平面上に配置されている。このため、複数のローラー１７は、基板ＳがＸＹ平面に平行な姿勢になるように当該基板Ｓを支持可能である。
【００３６】
各ローラー１７は、例えば不図示のローラー回転制御部によって回転が制御されるようになっている。基板搬送部１５は、複数のローラー１７が基板Ｓを支持した状態で各ローラー１７をＹ軸周りに時計回り又は反時計回りに回転させることにより、基板ＳをＸ方向（＋Ｘ方向又は−Ｘ方向）に搬送する。基板搬送部１５としては、基板を浮上させて搬送する不図示の浮上搬送部を用いても構わない。
【００３７】
（第一チャンバー）  
第一チャンバーＣＢ１は、床面ＦＬに載置された基台ＢＣ上に配置されている。第一チャンバーＣＢ１は、直方体の箱状に形成されている。第一チャンバーＣＢ１の内部には、処理室２０ａが形成されている。塗布部ＣＴは、処理室２０ａに設けられている。塗布部ＣＴは、基板Ｓに対して液状体の塗布処理を行う。
【００３８】
第一チャンバーＣＢ１は、第一開口部２１及び第二開口部２２を有している。第一開口部２１及び第二開口部２２は、処理室２０ａと第一チャンバーＣＢ１の外部とを連通する。第一開口部２１は、第一チャンバーＣＢ１の−Ｘ側の面に形成されている。第二開口部２２は、第一チャンバーＣＢ１の＋Ｘ側の面に形成されている。第一開口部２１及び第二開口部２２は、基板Ｓが通過可能な寸法に形成されている。基板Ｓは、第一開口部２１及び第二開口部２２を介して第一チャンバーＣＢ１に出し入れされる。
【００３９】
塗布部ＣＴは、吐出部３１、メンテナンス部３２、液状体供給部３３、洗浄液供給部３４、廃液貯留部３５、気体供給排出部３７及び基板搬送部２５を有する。
【００４０】
吐出部３１は、ノズルＮＺ、処理ステージ２８及びノズル駆動部ＮＡを有している。  
図３（ａ）ノズルＮＺの構成を示す図である。  
図３（ａ）に示すように、ノズルＮＺは、長尺状に形成されており、長手方向がＸ方向に平行になるように配置されている。ノズルＮＺは、本体部ＮＺａ及び突出部ＮＺｂを有している。本体部ＮＺａは、内部に液状体を収容可能な筐体である。本体部ＮＺａは、例えばチタン又はチタン合金を含んだ材料を用いて形成されている。突出部ＮＺｂは、本体部ＮＺａに対して＋Ｘ側及び−Ｘ側にそれぞれ突出して形成されている。突出部ＮＺｂは、ノズル駆動部ＮＡの一部に保持される。
【００４１】
図３（ｂ）は、−Ｚ側からノズルＮＺを見たときの構成を示している。  
図３（ｂ）に示すように、ノズルＮＺは、本体部ＮＺａの−Ｚ側の端部（先端ＴＰ）に吐出口ＯＰを有している。吐出口ＯＰは、液状体が吐出される開口部である。吐出口ＯＰは、Ｘ方向に長手となるようにスリット状に形成されている。吐出口ＯＰは、例えば長手方向が基板ＳのＸ方向の寸法とほぼ同一となるように形成されている。
【００４２】
ノズルＮＺは、例えば上記のＣｕ、Ｉｎ、Ｇａ、Ｓｅの４種類の金属が所定の組成比で混合された液状体を吐出する。ノズルＮＺは、接続配管（不図示）などを介して、それぞれ液状体供給部３３に接続されている。ノズルＮＺは、内部に液状体を保持する保持部を有している。なお、上記保持部に保持された液状体の温度を調整する温調部が配置されていても構わない。
【００４３】
図１及び図２に戻って、処理ステージ２８は、塗布処理の対象となる基板Ｓを載置する。処理ステージ２８の＋Ｚ側の面は、基板Ｓを載置する基板載置面となっている。当該基板載置面は、ＸＹ平面に平行に形成されている。処理ステージ２８は、例えばステンレスなどを用いて形成されている。
【００４４】
ノズル駆動部ＮＡは、ノズルＮＺをＸ方向に移動させる。ノズル駆動部ＮＡは、リニアモータ機構を構成する固定子４０及び可動子４１を有している。なお、ノズル駆動部ＮＡとしては、例えばボールスクリュー機構など、他の駆動機構が用いられた構成であっても構わない。固定子４０は、Ｙ方向に延在されている。固定子４０は、支持フレーム３８に支持されている。支持フレーム３８は、第一フレーム３８ａ及び第二フレーム３８ｂを有している。第一フレーム３８ａは、処理室２０ａの−Ｙ側端部に配置されている。第二フレーム３８ｂは、処理室２０ａのうち第一フレーム３８ａとの間で処理ステージ２８を挟む位置に配置されている。
【００４５】
可動子４１は、固定子４０の延在方向（Ｙ方向）に沿って移動可能である。可動子４１は、ノズル支持部材４２及び昇降部４３を有する。ノズル支持部材４２は、門型に形成されており、ノズルＮＺの突出部ＮＺｂを保持する保持部４２ａを有している。ノズル支持部材４２は、昇降部４３と共に固定子４０に沿って第一フレーム３８ａと第二フレーム３８ｂとの間をＹ方向に一体的に移動する。このため、ノズル支持部材４２に保持されるノズルＮＺは、処理ステージ２８をＹ方向に跨いで移動する。ノズル支持部材４２は、昇降部４３の昇降ガイド４３ａに沿ってＺ方向に移動する。可動子４１は、ノズル支持部材４２をＹ方向及びＺ方向に移動させる不図示の駆動源を有している。
【００４６】
メンテナンス部３２は、ノズルＮＺのメンテナンスを行う部分である。メンテナンス部３２は、ノズル待機部４４及びノズル先端管理部４５を有している。  
ノズル待機部４４は、ノズルＮＺの先端ＴＰが乾燥しないように当該先端ＴＰをディップさせる不図示のディップ部と、ノズルＮＺを交換する場合やノズルＮＺに供給する液状体を交換する場合にノズルＮＺ内に保持された液状体を排出する不図示の排出部とを有している。
【００４７】
ノズル先端管理部４５は、ノズルＮＺの先端ＴＰ及びその近傍を洗浄したり、ノズルＮＺの吐出口ＯＰから予備的に吐出したりすることで、ノズル先端のコンディションを整える部分である。ノズル先端管理部４５は、ノズルＮＺの先端ＴＰを払拭する払拭部４５ａと、当該払拭部４５ａを案内するガイドレール４５ｂと、を有している。ノズル先端管理部４５には、ノズルＮＺから排出された液状体や、ノズルＮＺの洗浄に用いられた洗浄液などを収容する廃液収容部３５ａが設けられている。
【００４８】
図３（ｃ）は、ノズルＮＺ及びノズル先端管理部４５の断面形状を示す図である。図３（ｃ）に示すように、払拭部４５ａは、断面視においてノズルＮＺの先端ＴＰ及び先端ＴＰ側の斜面の一部を覆う形状に形成されている。
【００４９】
ガイドレール４５ｂは、ノズルＮＺの吐出口ＯＰをカバーするようにＸ方向に延びている。払拭部４５ａは、不図示の駆動源などにより、ガイドレール４５ｂに沿ってＸ方向に移動可能に設けられている。払拭部４５ａがノズルＮＺの先端ＴＰに接触した状態でＸ方向に移動することで、先端ＴＰが払拭されることになる。
【００５０】
液状体供給部３３は、第一液状体収容部３３ａ及び第二液状体収容部３３ｂを有している。第一液状体収容部３３ａ及び第二液状体収容部３３ｂには、基板Ｓに塗布する液状体が収容される。また、第一液状体収容部３３ａ及び第二液状体収容部３３ｂは、それぞれ異なる種類の液状体を収容可能である。
【００５１】
洗浄液供給部３４は、塗布部ＣＴの各部、具体的にはノズルＮＺの内部やノズル先端管理部４５などを洗浄する洗浄液が収容されている。洗浄液供給部３４は、不図示の配管やポンプなどを介して、これらノズルＮＺの内部やノズル先端管理部４５などに接続されている。
【００５２】
廃液貯留部３５は、ノズルＮＺから吐出された液体のうち再利用しない分を回収する。なお、ノズル先端管理部４５のうち、予備吐出を行う部分と、ノズルＮＺの先端ＴＰを洗浄する部分とが別々に設けられた構成であっても構わない。また、ノズル待機部４４において予備吐出を行う構成であっても構わない。
【００５３】
気体供給排出部３７は、気体供給部３７ａ及び排気部３７ｂを有している。気体供給部３７ａは、処理室２０ａに窒素ガスやアルゴンガスなどの不活性ガスを供給する。排気部３７ｂは、処理室２０ａを吸引し、処理室２０ａの気体を第一チャンバーＣＢ１の外部に排出する。
【００５４】
基板搬送部２５は、処理室２０ａにおいて基板Ｓを搬送する。基板搬送部２５は、複数のローラー２７を有している。ローラー２７は、処理室２０ａのＹ方向の中央部をＸ方向に横切るように二列に配置されている。各列に配置されるローラー２７は、それぞれ基板Ｓの＋Ｙ側端辺及び−Ｙ側端辺を支持する。
【００５５】
基板Ｓを支持した状態で各ローラー２７をＹ軸周りに時計回り又は反時計回りに回転させることにより、各ローラー２７によって支持される基板ＳがＸ方向（＋Ｘ方向又は−Ｘ方向）に搬送される。なお、基板を浮上させて搬送する不図示の浮上搬送部を用いても構わない。
【００５６】
（接続部）
接続部ＣＮは、第一チャンバーＣＢ１と第二チャンバーＣＢ２とを接続する。基板Ｓは、接続部ＣＮを経由して、第一チャンバーＣＢ１と第二チャンバーＣＢ２との間を移動するようになっている。接続部ＣＮは、第三チャンバーＣＢ３を有している。第三チャンバーＣＢ３は、直方体の箱状に形成されている。第三チャンバーＣＢ３の内部には、処理室５０ａが形成されている。本実施形態では、処理室５０ａには、減圧乾燥部ＶＤが設けられている。減圧乾燥部ＶＤは、基板Ｓ上に塗布された液状体を乾燥させる。第三チャンバーＣＢ３には、ゲートバルブＶ２及びＶ３が設けられている。
【００５７】
第三チャンバーＣＢ３は、第一開口部５１及び第二開口部５２を有している。第一開口部５１及び第二開口部５２は、処理室５０ａと第三チャンバーＣＢ３の外部とを連通する。第一開口部５１は、第三チャンバーＣＢ３の−Ｘ側の面に形成されている。第二開口部５２は、第三チャンバーＣＢ３の＋Ｘ側の面に形成されている。第一開口部５１及び第二開口部５２は、基板Ｓが通過可能な寸法に形成されている。基板Ｓは、第一開口部５１及び第二開口部５２を介して第三チャンバーＣＢ３に出し入れされる。
【００５８】
減圧乾燥部ＶＤは、基板搬送部５５及び気体供給部５８、排気部５９及び加熱部５３を有している。  
基板搬送部５５は、複数のローラー５７を有している。ローラー５７は、Ｙ方向に一対配置されており、当該一対のローラー５７がＸ方向に複数並んでいる。複数のローラー５７は、第一開口部５１を介して処理室５０ａに配置された基板Ｓを支持する。
【００５９】
基板Ｓを支持した状態で各ローラー５７をＹ軸周りに時計回り又は反時計回りに回転させることにより、各ローラー５７によって支持される基板ＳがＸ方向（＋Ｘ方向又は−Ｘ方向）に搬送される。なお、基板を浮上させて搬送する不図示の浮上搬送部を用いても構わない。
【００６０】
図４は、減圧乾燥部ＶＤの構成を示す模式図である。  
図４に示すように、気体供給部５８は、処理室５０ａに窒素ガスやアルゴンガスなどの不活性ガスを供給する。気体供給部５８は、第一供給部５８ａ及び第二供給部５８ｂを有している。第一供給部５８ａ及び第二供給部５８ｂは、ガスボンベやガス管などのガス供給源５８ｃに接続されている。処理室５０ａへのガスの供給は主として第一供給部５８ａを用いて行われる。第二供給部５８ｂは、第一供給部５８ａによる気体の供給量を微調整する。
【００６１】
排気部５９は、処理室５０ａを吸引し当該処理室５０ａの気体を第三チャンバーＣＢ３の外部に排出して、処理室５０ａを減圧させる。処理室５０ａを減圧させることにより、基板Ｓの液状体に含まれる溶媒の蒸発を促進させ、液状体を乾燥させる。排気部５９は、第一吸引部５９ａ及び第二吸引部５９ｂを有している。第一吸引部５９ａ及び第二吸引部５９ｂは、ポンプなどの吸引源５９ｃ及び５９ｄに接続されている。処理室５０ａからの吸引は主として第一吸引部５９ａを用いて行われる。第二吸引部５９ｂは、第一吸引部５９ａによる吸引量を微調整する。
【００６２】
加熱部５３は、処理室５０ａに配置された基板Ｓ上の液状体を加熱する。加熱部５３としては、例えば赤外線装置やホットプレートなどが用いられる。加熱部５３の温度は、例えば室温〜１００℃程度に調整可能である。加熱部５３を用いることにより、基板Ｓ上の液状体に含まれる溶媒の蒸発を促進させ、減圧下での乾燥処理をサポートする。
【００６３】
加熱部５３は、昇降機構（移動部）５３ａに接続されている。昇降機構５３ａは、加熱部５３をＺ方向に移動させる。昇降機構５３ａとしては、例えばモーター機構やエアシリンダ機構などが用いられている。昇降機構５３ａにより加熱部５３をＺ方向に移動させることにより、加熱部５３と基板Ｓとの間の距離を調整できるようになっている。昇降機構５３ａによる加熱部５３の移動量や移動のタイミングなどは、制御部ＣＯＮＴによって制御されるようになっている。
【００６４】
（第二チャンバー）  
第二チャンバーＣＢ２は、床面ＦＬに載置された基台ＢＢ上に配置されている。第二チャンバーＣＢ２は、直方体の箱状に形成されている。第二チャンバーＣＢ２の内部には、処理室６０ａが形成されている。焼成部ＢＫは、処理室６０ａに設けられている。焼成部ＢＫは、基板Ｓ上に塗布された塗布膜を焼成する。
【００６５】
第二チャンバーＣＢ２は、開口部６１を有している。開口部６１は、処理室６０ａと第二チャンバーＣＢ２の外部とを連通する。開口部６１は、第二チャンバーＣＢ２の−Ｘ側の面に形成されている。開口部６１は、基板Ｓが通過可能な寸法に形成されている。基板Ｓは、開口部６１を介して第二チャンバーＣＢ２に出し入れされる。
【００６６】
焼成部ＢＫは、基板搬送部６５及び気体供給部６８、排気部６９及び加熱部７０を有している。  
基板搬送部６５は、複数のローラー６７と、アーム部７１とを有している。ローラー６７は、基板案内ステージ６６をＹ方向に挟んで一対配置されており、当該一対のローラー６７がＸ方向に複数並んでいる。複数のローラー６７は、開口部６１を介して処理室６０ａに配置された基板Ｓを支持する。
【００６７】
基板Ｓを支持した状態で各ローラー６７をＹ軸周りに時計回り又は反時計回りに回転させることにより、各ローラー６７によって支持される基板ＳがＸ方向（＋Ｘ方向又は−Ｘ方向）に搬送される。なお、基板を浮上させて搬送する不図示の浮上搬送部を用いても構わない。
【００６８】
アーム部７１は、架台７４上に配置されており、複数のローラー６７と加熱部７０との間で基板Ｓの受け渡しを行う。アーム部７１は、搬送アーム７２及びアーム駆動部７３を有している。搬送アーム７２は、基板支持部７２ａ及び移動部７２ｂを有している。基板支持部７２ａは、基板Ｓの＋Ｙ側及び−Ｙ側の辺を支持する。移動部７２ｂは、基板支持部７２ａに連結されており、Ｘ方向に移動可能であり、かつθＺ方向に回動可能である。
【００６９】
アーム駆動部７３は、移動部７２ｂをＸ方向又はθＺ方向に駆動する。アーム駆動部７３によって移動部７２ｂを＋Ｘ方向に移動させた場合には、基板支持部７２ａが加熱部７０内に挿入されると共に、基板Ｓが加熱部７０のＺ方向視中央部に配置されるようになっている。
【００７０】
図５〜図７は、加熱部７０の構成を示す断面図である。  
図５に示すように、加熱部７０は、架台７４上に配置されており、基板保持部８１、容器８２、蓋部８３及び加熱炉８４を有する。
【００７１】
基板保持部８１は、基板Ｓを立てた状態で保持する。基板保持部８１は、例えば石英などを用いて形成されている。基板保持部８１は、例えば矩形に形成された基板Ｓの一辺を保持する凹部（不図示）を有している。基板保持部８１は、当該凹部に基板Ｓの一辺側をはめ込んだ状態で基板Ｓを保持する。
【００７２】
基板保持部８１は、互いの基板面同士が対向するように複数の基板Ｓを一方向に例えば等ピッチに並べて保持する。基板保持部８１は、複数の基板Ｓ同士の間隔が、基板Ｓのうち立っている方向の辺の長さよりも短くなるように、当該基板Ｓを保持する。複数の基板Ｓ同士の間隔としては、例えば１０ｍｍ以下が好ましい。塗布膜Ｆが形成された複数の基板Ｓが基板保持部８１に保持された場合には、一の基板Ｓに形成された塗布膜Ｆが他の基板Ｓに塗布された塗布膜Ｆや当該他の基板Ｓの裏面に対向するように配置される。
【００７３】
容器８２は、基板保持部８１及び当該基板保持部８１によって保持された複数の基板Ｓを収容する。容器８２は、例えば石英などを用いて形成されている。蓋部８３は、基板保持部８１と一体的に形成されている。蓋部８３は、基板保持部８１が容器８２に収容された状態で容器８２の内部を密閉する。容器８２の内部を密閉することにより、基板Ｓに形成された塗布膜Ｆに含まれる成分（例、硫黄など）が蒸発するのを防ぐことができる。
【００７４】
図６には、基板保持部８１及び複数の基板Ｓが容器８２から取り出された状態が示されている。図６に示すように、基板保持部８１及び蓋部８３は、容器８２に対して分離可能に設けられている。
【００７５】
加熱炉８４は、基板保持部８１と共に容器８２に収容された状態の基板Ｓを加熱する。加熱炉８４は、本体部８４ａと、開口部８４ｂと、収容部８４ｃとを有している。本体部８４ａは、例えば円筒状に形成されており、内部に電熱線などの加熱機構が設けられている。収容部８４ｃは、容器８２を収容する。加熱炉８４は、図７に示すように、容器８２を収容することで、蓋部８３によって開口部８４ｂが塞がれた状態となる。このため、収容部８４ｃにおいて本体部８４ａから容器８２内の基板Ｓに対して効率的に熱を伝達することができる。収容部８４ｃ内の温度は、例えば２００℃〜８００℃程度に調整可能である。
【００７６】
また、本実施形態では、溶媒濃度センサＳＲ３及びＳＲ４が設けられている。溶媒濃度センサＳＲ３及びＳＲ４は、上記の溶媒濃度センサＳＲ１及びＳＲ２と同様に、周囲の雰囲気中における液状体の溶媒（本実施形態ではヒドラジン）の濃度を検出し、検出結果を制御部ＣＯＮＴに送信する。溶媒濃度センサＳＲ３は、処理室６０ａのうち架台７４上の加熱部７０の＋Ｙ側に配置されている。溶媒濃度センサＳＲ３は、加熱部７０から外れた位置に配置されている。溶媒濃度センサＳＲ４は第二チャンバーＣＢ２の外部に配置されている。本実施形態では、空気よりも比重が大きいヒドラジンの濃度を検出するため、溶媒濃度センサＳＲ３及びＳＲ４は、上記溶媒濃度センサＳＲ１及びＳＲ２と同様に、それぞれ基板Ｓの搬送経路よりも鉛直方向の下側に配置されている。また、第二チャンバーＣＢ２の外部にも溶媒濃度センサＳＲ４を配置することにより、第二チャンバーＣＢ２からのヒドラジンの漏出があった場合にも検出可能である。
【００７７】
（基板搬送経路）  
基板供給回収部ＬＵの第二開口部１２、塗布部ＣＴの第一開口部２１並びに第二開口部２２、減圧乾燥部ＶＤの第一開口部５１並びに第二開口部５２、焼成部ＢＫの開口部６１は、Ｘ方向に平行な直線上に並んで設けられている。このため、基板Ｓは、Ｘ方向に直線上に移動する。また、基板供給回収部ＬＵから焼成部ＢＫの加熱部７０に収容されるまでの経路においては、Ｚ方向の位置が保持されている。このため、基板Ｓによる周囲の気体の攪拌が抑制される。
【００７８】
（アンチチャンバー）
図１に示すように、第一チャンバーＣＢ１には、アンチチャンバーＡＬ１〜ＡＬ３が接続されている。  
アンチチャンバーＡＬ１〜ＡＬ３は、第一チャンバーＣＢ１の内外を連通して設けられている。アンチチャンバーＡＬ１〜ＡＬ３は、それぞれ処理室２０ａの構成要素を第一チャンバーＣＢ１の外部へ取り出したり、第一チャンバーＣＢ１の外部から処理室２０ａに当該構成要素を入れ込んだりするための経路である。
【００７９】
アンチチャンバーＡＬ１は、吐出部３１に接続されている。吐出部３１に設けられるノズルＮＺは、アンチチャンバーＡＬ１を介して処理室２０ａへの出し入れが可能となっている。アンチチャンバーＡＬ２は、液状体供給部３３に接続されている。液状体供給部３３は、アンチチャンバーＡＬ２を介して処理室２０ａへの出し入れが可能となっている。
【００８０】
アンチチャンバーＡＬ３は、液状体調合部３６に接続されている。液状体調合部３６では、アンチチャンバーＡＬ３を介して液体を処理室２０ａに出し入れ可能となっている。また、アンチチャンバーＡＬ３は、基板Ｓが通過可能な寸法に形成されている。このため、例えば塗布部ＣＴにおいて液状体の試し塗りを行う場合、アンチチャンバーＡＬ３から未処理の基板Ｓを処理室２０ａに供給することが可能である。また、試し塗りを行った後の基板ＳをアンチチャンバーＡＬ３から取り出すことが可能である。また、緊急時などにアンチチャンバーＡＬ３から臨時に基板Ｓを取り出すことも可能である。
【００８１】
また、第二チャンバーＣＢ２には、アンチチャンバーＡＬ４が接続されている。  
アンチチャンバーＡＬ４は、加熱部７０に接続されている。アンチチャンバーＡＬ４は、基板Ｓが通過可能な寸法に形成されている。このため、例えば加熱部７０において基板Ｓの加熱を行う場合、アンチチャンバーＡＬ４から基板Ｓを処理室６０ａに供給することが可能である。また、加熱処理を行った後の基板ＳをアンチチャンバーＡＬ４から取り出すことが可能である。
【００８２】
（グローブ部）  
図１に示すように、第一チャンバーＣＢ１には、グローブ部ＧＸ１が接続されている。また、第二チャンバーＣＢ２には、グローブ部ＧＸ２が接続されている。  
グローブ部ＧＸ１及びＧＸ２は、作業者が第一チャンバーＣＢ１及び第二チャンバーＣＢ２内にアクセスするための部分である。作業者がグローブ部ＧＸ１及びＧＸ２内に手を挿入することにより、第一チャンバーＣＢ１及び第二チャンバーＣＢ２内のメンテナンス動作などを行うことができるようになっている。グローブ部ＧＸ１及びＧＸ２は、袋状に形成されている。グローブ部ＧＸ１及びＧＸ２は、それぞれ第一チャンバーＣＢ１及び６０の複数個所に配置されている。グローブ部ＧＸ１及びＧＸ２内に作業者が手を入れたか否かを検出するセンサなどが第一チャンバーＣＢ１及び第二チャンバーＣＢ２内に配置されていても構わない。
【００８３】
（ゲートバルブ）  
基板供給回収部ＬＵの第二開口部１２と塗布部ＣＴの第一開口部２１との間には、ゲートバルブＶ１が設けられている。ゲートバルブＶ１は、不図示の駆動部によってＺ方向に移動可能に設けられている。ゲートバルブＶ１をＺ方向に移動させることで、基板供給回収部ＬＵの第二開口部１２と塗布部ＣＴの第一開口部２１とが同時に開放又は閉塞される。第二開口部１２及び第一開口部２１が同時に開放されると、これら第二開口部１２と第一開口部２１との間で基板Ｓの移動が可能となる。
【００８４】
第一チャンバーＣＢ１の第二開口部２２と第三チャンバーＣＢ３の第一開口部５１との間には、ゲートバルブＶ２が設けられている。ゲートバルブＶ２は、不図示の駆動部によってＺ方向に移動可能に設けられている。ゲートバルブＶ２をＺ方向に移動させることで、第一チャンバーＣＢ１の第二開口部２２と第三チャンバーＣＢ３の第一開口部５１とが同時に開放又は閉塞される。第二開口部２２及び第一開口部５１が同時に開放されると、これら第二開口部２２と第一開口部５１との間で基板Ｓの移動が可能となる。
【００８５】
第三チャンバーＣＢ３の第二開口部５２と第二チャンバーＣＢ２の開口部６１との間には、ゲートバルブＶ３が設けられている。ゲートバルブＶ３は、不図示の駆動部によってＺ方向に移動可能に設けられている。ゲートバルブＶ３をＺ方向に移動させることで、第三チャンバーＣＢ３の第二開口部５２と第二チャンバーＣＢ２の開口部６１とが同時に開放又は閉塞される。第二開口部５２及び開口部６１が同時に開放されると、これら第二開口部５２と開口部６１との間で基板Ｓの移動が可能となる。
【００８６】
（制御装置）  
制御部ＣＯＮＴは、塗布装置ＣＴＲを統括的に制御する部分である。具体的には、基板供給回収部ＬＵ、塗布部ＣＴ、減圧乾燥部ＶＤ、焼成部ＢＫにおける動作、ゲートバルブＶ１〜Ｖ３の動作などを制御する。調整動作の一例として、制御部ＣＯＮＴは、溶媒濃度センサＳＲ１〜ＳＲ４による検出結果に基づいて、気体供給部３７ａの供給量を調整する。制御部ＣＯＮＴは、処理時間の計測等に用いる不図示のタイマーなどを有している。
【００８７】
（塗布方法）  
次に、本実施形態に係る塗布方法を説明する。本実施形態では、上記のように構成された塗布装置ＣＴＲを用いて基板Ｓ上に塗布膜を形成する。塗布装置ＣＴＲの各部で行われる動作は、制御部ＣＯＮＴによって制御される。
【００８８】
制御部ＣＯＮＴは、まず、外部から基板供給回収部ＬＵに基板Ｓを搬入させる。この場合、制御部ＣＯＮＴは、ゲートバルブＶ１を閉塞された状態として、蓋部１４を開けて基板Ｓをチャンバー１０の収容室１０ａに収容させる。基板Ｓが収容室１０ａに収容された後、制御部ＣＯＮＴは、蓋部１４を閉じさせる。
【００８９】
蓋部１４が閉じられた後、制御部ＣＯＮＴは、ゲートバルブＶ１を開放させ、チャンバー１０の収容室１０ａと塗布部ＣＴの第一チャンバーＣＢ１の処理室２０ａとを連通させる。ゲートバルブＶ１を開放させた後、制御部ＣＯＮＴは、基板搬送部１５を用いて基板ＳをＸ方向へ搬送する。
【００９０】
第一チャンバーＣＢ１の処理室２０ａに基板Ｓの一部が挿入された後、制御部ＣＯＮＴは、基板搬送部２５を用いて基板Ｓを処理室２０ａに完全に搬入させる。基板Ｓが搬入された後、制御部ＣＯＮＴは、ゲートバルブＶ１を閉塞させる。制御部ＣＯＮＴは、ゲートバルブＶ１を閉塞させた後、基板Ｓを処理ステージ２８へと搬送する。
【００９１】
図８は、塗布部ＣＴの構成を簡略化し一部の構成を省略して示す図である。以下、図９〜図１２においても同様である。図８に示すように、基板Ｓが処理ステージ２８上に載置されると、塗布部ＣＴにおいて塗布処理が行われる。当該塗布処理に先立って、制御部ＣＯＮＴは、ゲートバルブＶ１及びＶ２が閉塞された状態とし、気体供給部３７ａ及び排気部３７ｂを用いて不活性ガスの供給及び吸引を行わせる。
【００９２】
この動作により、処理室２０ａの雰囲気及び圧力が調整される。処理室２０ａの雰囲気及び圧力の調整後、制御部ＣＯＮＴは、ノズル駆動部ＮＡ（図８では不図示）を用いてノズルＮＺをノズル待機部４４からノズル先端管理部４５へと移動させる。制御部ＣＯＮＴは、以後塗布処理の間、処理室２０ａの雰囲気及び圧力の調整動作を継続して行わせる。
【００９３】
ノズルＮＺがノズル先端管理部４５に到達した後、制御部ＣＯＮＴは、図９に示すように、ノズルＮＺに対して予備吐出動作を行わせる。予備吐出動作では、制御部ＣＯＮＴは、吐出口ＯＰから液状体Ｑを吐出させる。予備吐出動作の後、制御部ＣＯＮＴは、図１０に示すように、払拭部４５ａをガイドレール４５ｂに沿ってＸ方向に移動させ、ノズルＮＺの先端ＴＰ及びその近傍の傾斜部を払拭させる。
【００９４】
ノズルＮＺの先端ＴＰを払拭させた後、制御部ＣＯＮＴは、ノズルＮＺを処理ステージ２８へ移動させる。ノズルＮＺの吐出口ＯＰが基板Ｓの−Ｙ側端部に到達した後、制御部ＣＯＮＴは、図１１に示すように、ノズルＮＺを＋Ｙ方向に所定速度で移動させつつ、吐出口ＯＰから基板Ｓへ向けて液状体Ｑを吐出させる。この動作により、基板Ｓ上には液状体Ｑの塗布膜Ｆが形成される。
【００９５】
基板Ｓの所定領域に液状体Ｑの塗布膜を形成した後、制御部ＣＯＮＴは、基板搬送部２５を用いて基板Ｓを処理ステージ２８から第二ステージ２６Ｂへと＋Ｘ方向に移動させる。また、制御部ＣＯＮＴは、ノズルＮＺを−Ｙ方向へ移動させ、ノズル待機部４４へと戻す。
【００９６】
基板Ｓが第一チャンバーＣＢ１の第二開口部２２に到達した後、制御部ＣＯＮＴは、図１３に示すように、ゲートバルブＶ２を開放させ、基板Ｓを第一チャンバーＣＢ１から第二チャンバーＣＢ２へと搬送させる（搬送ステップ）。なお、当該搬送ステップを行う際に、基板Ｓは接続部ＣＮに配置される第三チャンバーＣＢ３を経由する。制御部ＣＯＮＴは、基板Ｓが第三チャンバーＣＢ３を通過する際に、当該基板Ｓに対して減圧乾燥部ＶＤを用いて乾燥処理を行わせる。具体的には、第三チャンバーＣＢ３の処理室５０ａに基板Ｓが収容された後、制御部ＣＯＮＴは、図１４に示すように、ゲートバルブＶ２を閉塞させる。
【００９７】
ゲートバルブＶ２を閉塞させた後、制御部ＣＯＮＴは、昇降機構５３ａを用いて加熱部５３のＺ方向の位置を調整させる。その後、制御部ＣＯＮＴは、図１５に示すように、気体供給部５８を用いて処理室５０ａの雰囲気を調整させると共に、排気部５９を用いて処理室５０ａを減圧させる。この動作により処理室５０ａが減圧すると、基板Ｓに形成された液状体Ｑの塗布膜に含まれる溶媒の蒸発が促進され、塗布膜が乾燥する。なお、制御部ＣＯＮＴは、排気部５９を用いて処理室５０ａを減圧する減圧動作を行わせる間に、昇降機構５３ａを用いて加熱部５３のＺ方向の位置を調整させても構わない。
【００９８】
また、制御部ＣＯＮＴは、図１５に示すように、加熱部５３を用いて基板Ｓ上の塗布膜Ｆを加熱する。この動作により、基板Ｓ上の塗布膜Ｆに含まれる溶媒の蒸発が促進され、減圧下での乾燥処理を短時間で行うことができる。制御部ＣＯＮＴは、加熱部５３によって加熱動作を行う間に、昇降機構５３ａを用いて加熱部５３のＺ方向の位置を調整させても構わない。
【００９９】
減圧乾燥処理が行われた後、制御部ＣＯＮＴは、図１６に示すように、ゲートバルブＶ３を開放させ、基板Ｓを接続部ＣＮから第二チャンバーＣＢ２へと搬送させる。基板Ｓが第二チャンバーＣＢ２の処理室６０ａに収容された後、制御部ＣＯＮＴはゲートバルブＶ３を閉塞させる。
【０１００】
第二チャンバーＣＢ２において、塗布膜Ｆが形成された基板Ｓは、基板支持部７２ａの移動によって加熱部７０に搬送される。制御部ＣＯＮＴは、加熱部７０に搬送された基板Ｓを、図１７に示すように、基板保持部８１上に立った状態で一列に並ぶように保持させる（保持ステップ）。保持ステップでは、例えば基板保持部８１のうち蓋部８３側から順に基板Ｓを配置し、隣り合う基板Ｓに形成された塗布膜Ｆ同士が対向するように基板Ｓを保持させる。
【０１０１】
基板保持部８１に複数の基板Ｓを保持させた後、図１８に示すように、容器８２に基板保持部８１及び複数の基板Ｓを収容させる。蓋部８３が容器８２の開口部を塞ぎ、容器８２の内部が密閉される。このとき、図１９に示すように、容器８２の内部には、基板Ｓの加熱時の雰囲気として用いられる窒素ガスや硫化水素ガスなどの処理ガス８５を封入させる。これにより、基板Ｓの処理雰囲気が調整される。なお、処理ガス８５の雰囲気下で容器８２に基板保持部８１及び複数の基板Ｓを収容させることで、複数の基板Ｓの収容と処理ガス８５の封入とを同時に行うようにしても構わない。
【０１０２】
複数の基板Ｓの収容及び処理ガス８５の封入が行われた後、図２０に示すように、容器８２を加熱炉８４の収容部８４ｃに収容させる。このとき、蓋部８３が加熱炉８４の開口部８４ｂを塞ぐように容器８２を収容部８４ｃに挿入する。これにより、加熱炉８４の収容部８４ｃが密閉される。
【０１０３】
その後、図２１に示すように、制御部ＣＯＮＴは、本体部８４ａに設けられた不図示の加熱機構を用いて収容部８４ｃを加熱させる（加熱ステップ）。この動作により、基板Ｓの塗布膜Ｆから溶媒成分が蒸発する。本実施形態では、隣り合う基板Ｓに形成された塗布膜Ｆ同士が対向するように基板Ｓが配置されているため、蒸発した溶媒成分の少なくとも一部は、塗布膜Ｆ同士の間に滞留することになる（滞留分Ｑａ）。
【０１０４】
このため、加熱ステップでは、蒸発した溶媒成分の滞留分Ｑａの一部が隣の塗布膜Ｆに再度吸着する。加熱ステップにおいては、蒸発する溶媒成分の方が吸着する溶媒成分よりも多くなるため、結果として、塗布膜Ｆに含まれる溶媒成分は、緩やかに気化していくことになる。なお、この動作により、塗布膜Ｆに含まれる気泡などが除去される。また、窒素ガスもしくは硫化水素ガスの気流により、塗布膜Ｆから蒸発した溶媒成分や気泡などが押し流される。
【０１０５】
また、当該焼成動作においては、塗布膜Ｆに含まれる金属成分のうち少なくとも一種類の成分を融点以上まで加熱し、塗布膜Ｆの少なくとも一部を溶解させる。例えば、塗布膜ＦがＣＺＴＳ型の太陽電池に用いられる場合であれば、塗布膜Ｆを構成する成分のうち、Ｔｉ、Ｓ、Ｓｅについて融点以上まで加熱し、これらの物質を液状化させて塗布膜Ｆを凝集させる。
加熱ステップの後、加熱炉８４から容器８２を取り出し、塗布膜Ｆが固形化する温度まで当該塗布膜Ｆを冷却する。塗布膜Ｆを固形化することで、当該塗布膜Ｆの強度が高められることになる。
【０１０６】
このような焼成動作及び冷却動作が完了した後、制御部ＣＯＮＴは、基板保持部８１を容器８２から取り出す。その後、制御部ＣＯＮＴは、加熱部７０からアーム部７１、基板案内ステージ６６を経て焼成部ＢＫから基板Ｓを搬出させ、減圧乾燥部ＶＤ、塗布部ＣＴを経て基板供給回収部ＬＵへ戻す。基板Ｓが基板供給回収部ＬＵへ戻された後、制御部ＣＯＮＴは、ゲートバルブＶ１を閉塞させた状態で蓋部１４を開放させる。その後、作業者は、チャンバー１０内の基板Ｓを回収し、新たな基板Ｓをチャンバー１０の収容室１０ａに収容させる。
【０１０７】
なお、基板Ｓが基板供給回収部ＬＵへ戻された後、基板Ｓに形成された塗布膜Ｆ上に更に別の塗布膜を重ねて形成する場合、制御部ＣＯＮＴは、再度基板Ｓを塗布部ＣＴへ搬送させ、塗布処理、減圧乾燥処理及び焼成処理を繰り返して行わせる。このようにして基板Ｓ上に塗布膜Ｆが積層される。
【０１０８】
以上のように、本実施形態によれば、液状体の塗布膜Ｆを基板Ｓに形成し、基板Ｓに形成された塗布膜Ｆが他の基板Ｓに形成された塗布膜Ｆに対向するように基板Ｓを配置した状態で塗布膜Ｆを加熱することとしたので、加熱によって気化した溶媒は基板（第一基板）Ｓに形成された塗布膜Ｆと隣の基板（第二基板）Ｓに形成された塗布膜Ｆとの間に滞留しやすくなる。このため、塗布膜Ｆに含まれる溶媒が急激に気化するのを防ぐことができる。これにより、膜質の良好な塗布膜Ｆを形成することができる。
【０１０９】
本発明の技術範囲は上記実施形態に限定されるものではなく、本発明の趣旨を逸脱しない範囲で適宜変更を加えることができる。  
例えば、上記実施形態においては、加熱ステップにおいて、隣り合う基板Ｓに形成された塗布膜Ｆ同士を対向させるように基板Ｓを保持させる構成としたが、これに限られることは無い。例えば、基板保持部８１のうち蓋部８３側から順に基板Ｓを配置し、各基板Ｓの裏面（塗布膜Ｆが形成される面とは反対の面）側が蓋部８３に向けられるようにし、塗布膜Ｆを蓋部８３とは反対側に向けられるようにしても構わない。この場合、各基板Ｓにおいては、塗布膜Ｆが隣の基板（第二基板）Ｓの裏面に対向するように配置される。この場合、塗布膜Ｆから溶媒成分が蒸発すると共に、蒸発した溶媒成分の滞留分Ｑａの一部が隣の基板Ｓに反射して塗布膜Ｆに再度吸着する。加熱ステップにおいては、蒸発する溶媒成分の方が吸着する溶媒成分よりも多くなるため、結果として、塗布膜Ｆに含まれる溶媒成分は、緩やかに気化していくことになる。
【０１１０】
また、塗布膜Ｆ同士を対向配置させる場合において、当該塗布膜Ｆ同士を接触させた状態で加熱しても構わない。この場合、基板保持部８１は、それぞれの塗布膜Ｆ同士を接触させた状態で２枚の基板Ｓを保持可能な構成とする。これにより、塗布膜Ｆ同士を接触させることとしたので、溶媒が急激に気化するのを抑制することができる。
【０１１１】
また、上記実施形態において、基板保持部８１、蓋部８３及び容器８２を複数組（例えば２組）用意し、一の組が加熱炉８４で加熱されている間に、他の組に基板Ｓを保持させるようにすることができる。これにより、加熱動作と、複数の基板Ｓが基板保持部８１に保持させる保持動作とを同時に行うことができるため、処理時間を短縮させることができる。
【０１１２】
また、上記実施形態においては、複数の基板Ｓを基板保持部８１に一列に並べて保持させた状態で加熱する構成を例に挙げて説明したが、これに限られることは無い。例えば、チャンバー内に一対の基板Ｓを対向させた状態で保持し、当該一対の基板Ｓを加熱する構成であっても良い。この場合、塗布膜Ｆ同士が向き合うように一対の基板Ｓを配置させても良い。
【０１１３】
また、上記実施形態においては、第一基板である基板Ｓに形成された塗布膜Ｆに対向させる第二基板として、第一基板と同様の塗布膜Ｆが形成された基板Ｓを用いる構成としたが、これに限られることは無い。例えば、第二基板として、塗布膜Ｆが形成されないダミー基板などを用いても構わない。また、例えば基板保持部８１において一列に並んで保持される基板Ｓの間に仕切り壁が設けられる構成とし、塗布膜Ｆと仕切り壁とが対向する構成であっても構わない。
【０１１４】
上記実施形態においては、塗布部ＣＴの構成として、スリット型のノズルＮＺを用いた構成としたが、これに限られることは無く、例えば中央滴下型の塗布部を用いても構わないし、インクジェット型の塗布部を用いても構わない。また、例えば基板Ｓ（第一基板Ｓ１及び第二基板Ｓ２）上に配置される液状体をスキージなどを用いて拡散させて塗布する構成であっても構わない。
【０１１５】
また、上記実施形態において、塗布装置ＣＴＲが一つの部屋に収容される構成である場合、当該部屋の雰囲気を調整する気体供給排出部が設けられた構成であっても構わない。この場合、当該気体供給排出部を用いて部屋の雰囲気中のヒドラジンを排出することができるため、より確実に塗布環境の変化を抑制することができる。
【０１１６】
また、上記実施形態においては、第二チャンバーＣＢ２の焼成部ＢＫにおいて焼成動作を行わせる構成を例に挙げて説明したが、これに限られることは無い。例えば、図２２に示すように、第二チャンバーＣＢ２とは異なる位置に別途第四チャンバーＣＢ４が設けられ、当該第四チャンバーＣＢ４に設けられる加熱部ＨＴによって第一基板Ｓ１及び第二基板Ｓ２を加熱する構成であっても構わない。
【０１１７】
この場合、例えば第一基板Ｓ１に塗布膜Ｆ１を積層させ、第二基板Ｓ２に塗布膜Ｆ２を積層させた後、第四チャンバーＣＢ４の加熱部ＨＴにおいて、積層された塗布膜Ｆ１及び塗布膜Ｆ２を焼成するための加熱処理（第二加熱ステップ）を行うようにすることができる。第二加熱ステップにおける加熱処理では、焼成部ＢＫによる加熱処理よりも高い加熱温度で塗布膜Ｆ１及び塗布膜Ｆ２を加熱する。この加熱処理により、積層された塗布膜Ｆ１及び塗布膜Ｆ２の固形分（金属成分）を結晶化させることができるので、塗布膜Ｆ１及び塗布膜Ｆ２の膜質を更に高めることができる。
【０１１８】
なお、第一基板Ｓ１及び第二基板Ｓ２に塗布膜Ｆ１及び塗布膜Ｆ２を積層させた後の加熱については、第二チャンバーＣＢ２の焼成部ＢＫにおいて行うようにしても構わない。この場合、焼成部ＢＫでは、塗布膜Ｆ１及び塗布膜Ｆ２の各層を焼成する場合の加熱温度よりも、積層させた後の塗布膜Ｆ１及び塗布膜Ｆ２を焼成する場合の加熱温度の方が高くなるように制御すれば良い。
【０１１９】
また、塗布装置ＣＴＲの構成として、例えば図２３に示すように、基板供給回収部ＬＵの＋Ｘ側に、塗布部ＣＴを有する第一チャンバーＣＢ１、減圧乾燥部ＶＤを有する接続部ＣＮ及び焼成部ＢＫを有する第二チャンバーＣＢ２が繰り返して配置された構成であっても構わない。
【０１２０】
図２３では、第一チャンバーＣＢ１、接続部ＣＮ及び第二チャンバーＣＢ２が３回繰り返して配置された構成が示されているが、これに限られることは無く、第一チャンバーＣＢ１、接続部ＣＮ及び第二チャンバーＣＢ２が２回繰り返して配置された構成や、第一チャンバーＣＢ１、接続部ＣＮ及び第二チャンバーＣＢ２が４回以上繰り返して配置された構成であっても構わない。
【０１２１】
このような構成によれば、第一チャンバーＣＢ１、接続部ＣＮ及び第二チャンバーＣＢ２がＸ方向に直列に繰り返し設けられているため、第一基板Ｓ１及び第二基板Ｓ２を一方向（＋Ｘ方向）に搬送すれば良く、第一基板Ｓ１及び第二基板Ｓ２をＸ方向に往復させる必要が無いため、第一基板Ｓ１及び第二基板Ｓ２に対して塗布膜Ｆ１及び塗布膜Ｆ２を積層する工程を連続して行うことができる。これにより、第一基板Ｓ１及び第二基板Ｓ２に対して効率的に塗布膜Ｆ１及び塗布膜Ｆ２を形成することができる。
【符号の説明】
【０１２２】
ＣＴＲ…塗布装置  Ｓ…基板（Ｓ１…第一基板、Ｓ２…第二基板）  Ｆ、Ｆ１、Ｆ２…塗布膜  ＣＯＮＴ…制御部  ＣＴ…塗布部  ＢＫ…焼成部  ＶＤ…減圧乾燥部  ＢＣ…基台  ＮＺ…ノズル  Ｑ…液状体  ＨＴ…加熱部  ＣＢ１…第一チャンバー  ＣＢ２…第二チャンバー  ＣＢ３…第三チャンバー  ＣＢ４…第四チャンバー  ８１…基板保持部  ８２…容器  ８３…蓋部  ８４…加熱炉
【図１】
2014014816.tif 000003
【図２】
2014014816.tif 000004
【図３】
2014014816.tif 000005
【図４】
2014014816.tif 000006
【図５】
2014014816.tif 000007
【図６】
2014014816.tif 000008
【図７】
2014014816.tif 000009
【図８】
2014014816.tif 000010
【図９】
2014014816.tif 000011
【図１０】
2014014816.tif 000012
【図１１】
2014014816.tif 000013
【図１２】
2014014816.tif 000014
【図１３】
2014014816.tif 000015
【図１４】
2014014816.tif 000016
【図１５】
2014014816.tif 000017
【図１６】
2014014816.tif 000018
【図１７】
2014014816.tif 000019
【図１８】
2014014816.tif 000020
【図１９】
2014014816.tif 000021
【図２０】
2014014816.tif 000022
【図２１】
2014014816.tif 000023
【図２２】
2014014816.tif 000024
【図２３】
2014014816.tif 000025